(57)【特許請求の範囲】
【請求項１】
画像形成部数を含む画像形成条件と必要に応じて試し印刷機能を設定する設定手段と、
原稿の画像を読み取り、画像データを出力する読取手段と、
この読取手段にて出力される原稿毎の画像データを一連の画像データとして蓄積する蓄積手段と、
上記画像データの画像を形成する画像形成手段と、
上記設定手段で試し印刷機能が設定された際、上記蓄積手段に原稿毎の画像データを蓄積すると同時に、この蓄積される原稿毎の画像データの１部目を上記画像形成手段で画像形成する制御を行う第１の制御手段と、
上記蓄積手段に一連の画像データが蓄積終了し、且つ上記１部目の画像形成が終了した際、上記第１の制御手段の制御を停止する停止手段と、
この停止手段で上記第１の制御手段の制御が停止された際、上記蓄積手段に蓄積された一連の画像データの一部の画像データの差し替えを指示する指示手段と、
この指示手段の指示に応じて上記読取手段で差し替える原稿を読み取って出力される画像データを差し替え用の画像データとして上記蓄積手段に蓄積する制御を行う第２の制御手段と、
この第２の制御手段で上記蓄積手段に蓄積された差し替え用の画像データを、上記蓄積手段に蓄積された一連の画像データの上記指示手段で差し替えが指示された一部の画像データと差し替えて画像を形成する制御を行う第３の制御手段と、
を具備したことを特徴とする画像形成装置。
【請求項２】
画像形成部数を含む画像形成条件と必要に応じて試し印刷機能を設定し、
読取手段で原稿の画像を読み取って画像データを出力し、
この出力される原稿毎の画像データを一連の画像データとして蓄積手段に蓄積し、
上記試し印刷機能が設定された際、上記蓄積手段に原稿毎の画像データを蓄積すると同時に、この原稿毎の画像データの１部目の画像形成を制御し、
上記蓄積手段に一連の画像データが蓄積終了し、且つ上記１部目の画像形成が終了した際、上記制御を停止し、
上記制御が停止された際、上記蓄積手段に蓄積された一連の画像データの一部の画像データの差し替えを指示し、
この指示に応じて上記読取手段で差し替える原稿を読み取って出力される画像データを差し替え用の画像データとして上記蓄積手段に蓄積する制御を行い、
この制御で上記蓄積手段に蓄積された差し替え用の画像データを、上記蓄積手段に蓄積された一連の画像データの上記差し替えが指示された一部の画像データと差し替えて画像形成を制御するようにしたことを特徴とする画像形成方法。
【発明の詳細な説明】
【０００１】
【産業上の利用分野】
この発明は、原稿を読み込む毎にその画像データを内部に順番に蓄積し、全原稿を読み込んだ後、内部に蓄積された画像データを用いて印刷を行う電子ソート機能を有するデジタル複写機などの画像形成装置及び画像形成方法に関する。
【０００２】
【従来の技術】
電子ソート機能を持つデジタル複写機などの画像形成装置は、原稿を読み込んでその画像データを複写機内部に蓄積し、それを印刷することによって複数部のコピーの作成にかかる処理時間全体を短縮することができる。これは原稿をスキャナ部で読み込む際に、１ページ分の原稿を読み込む毎にその画像データを複写機内部に順番に蓄積して全原稿を読み込んだ後、内部に蓄積された画像データを用いて印刷する。
【０００３】
これにより、複数部の複写を行う際には原稿の読み込みが１度で済むため、複写作業全体にかかる時間を短縮することができる。また、この電子ソート機能では先行印刷という機能を持つ場合があり、１ページ分の原稿の蓄積処理をする際に、そのページの印刷を行うことも可能で、原稿の読み込みを行わせながら作成されるコピーの出来具合をすぐに確認することができる。
【０００４】
しかしながら、先行印刷の機能では電子ソートの機能を活かしたまま、コピーの出来具合を原稿１ページの読み込み直後に確認できるが、作成されたコピーに不具合があった場合に、そのページのみを修正するような機能はない。このため、不具合を訂正するためには複写作業を完全に止めて最初からやり直すほか、あるいは、不具合のあるまま複写作業を終了させ、不具合のあるページはそのコピーを再作成してユーザが手作業によってページの差し替えを行わなければならなかった。前者の場合は複写作業を止めるまでに生じたコピーがすべて不要になり、紙を多量に無駄使いすることになり、後者の場合では紙の無駄は不具合のあるページのみとなるが、ユーザによる手作業が生じることになる。
【０００５】
また、先行印刷では１部目の印刷完了後、すぐに２部目の印刷が開始されるため、１部目の出来具合を確認中にでも２部目の印刷が行われており、不具合の発見が遅れて複写の中止が遅れた場合に、多量のミスコピーが生成される危険がある。そのほか複写機では、通常フェースアップで印刷されるが、電子ソートでは原稿を読み込んだ順に印刷が行われるが、原稿を前方のページから順番に読み込ませた場合には生成されるコピーにおいて前方ページが下になり、最終ページが上にくるという逆順が出力となる。
【０００６】
【発明が解決しようとする課題】
上記したように、電子ソートによる画像データの印刷において、作成されたコピーに不具合があった場合にそのページのみを修正するような機能がない。ここで、不具合を訂正するために複写作業を完全に止めて最初からやり直す場合には、複写作業を止めるまでに生じたコピーがすべて不要になって紙を多量に無駄使いすることになり、不具合のあるまま複写作業を終了させる場合には、不具合のあるページのコピーを再作成してユーザが手作業によってページの差し替えを行わなければならないという問題があった。
そこで、この発明は、多量の紙の無駄を省き、手作業の発生を防止することのできる画像形成装置及び画像形成方法を提供することを目的とする。
【０００７】
【課題を解決するための手段】
この発明の画像形成装置は、画像形成部数を含む画像形成条件と必要に応じて試し印刷機能を設定する設定手段と、原稿の画像を読み取り、画像データを出力する読取手段と、この読取手段にて出力される原稿毎の画像データを一連の画像データとして蓄積する蓄積手段と、上記画像データの画像を形成する画像形成手段と、上記設定手段で試し印刷機能が設定された際、上記蓄積手段に原稿毎の画像データを蓄積すると同時に、この蓄積される原稿毎の画像データの１部目を上記画像形成手段で画像形成する制御を行う第１の制御手段と、上記蓄積手段に一連の画像データが蓄積終了し、且つ上記１部目の画像形成が終了した際、上記第１の制御手段の制御を停止する停止手段と、この停止手段で上記第１の制御手段の制御が停止された際、上記蓄積手段に蓄積された一連の画像データの一部の画像データの差し替えを指示する指示手段と、この指示手段の指示に応じて上記読取手段で差し替える原稿を読み取って出力される画像データを差し替え用の画像データとして上記蓄積手段に蓄積する制御を行う第２の制御手段と、この第２の制御手段で上記蓄積手段に蓄積された差し替え用の画像データを、上記蓄積手段に蓄積された一連の画像データの上記指示手段で差し替えが指示された一部の画像データと差し替えて画像を形成する制御を行う第３の制御手段とから構成されている。
【００１３】
この発明の画像形成方法は、画像形成部数を含む画像形成条件と必要に応じて試し印刷機能を設定し、読取手段で原稿の画像を読み取って画像データを出力し、この出力される原稿毎の画像データを一連の画像データとして蓄積手段に蓄積し、上記試し印刷機能が設定された際、上記蓄積手段に原稿毎の画像データを蓄積すると同時に、この原稿毎の画像データの１部目の画像形成を制御し、上記蓄積手段に一連の画像データが蓄積終了し、且つ上記１部目の画像形成が終了した際、上記制御を停止し、上記制御が停止された際、上記蓄積手段に蓄積された一連の画像データの一部の画像データの差し替えを指示し、この指示に応じて上記読取手段で差し替える原稿を読み取って出力される画像データを差し替え用の画像データとして上記蓄積手段に蓄積する制御を行い、この制御で上記蓄積手段に蓄積された差し替え用の画像データを、上記蓄積手段に蓄積された一連の画像データの上記差し替えが指示された一部の画像データと差し替えて画像形成を制御するようにしたことを特徴とする。
【００１５】
【実施例】
以下、この発明の一実施例について図面を参照して説明する。
図２は、この発明に係る画像形成装置としての電子ソート機能を有するデジタル複写機の全体構成を概略的に示すものである。この装置は読取手段としてのスキャナ部１４０  及びプリンタ等の印刷を行う画像形成手段としての画像形成部１６０  を備え、上部に自動原稿送り装置（ＡＤＦ：オート  ドキュメント  フィーダ）２００  を装着している。
【００１６】
スキャナ部１４０  は、光源としての露光ランプ６、ミラー１５を設置した第１キャリッジ７、光路を折曲げるミラー８ａ，８ｂを設置した第２キャリッジ９、レンズ１０、反射光を受光する光電変換部１１、これらを各部の位置を変更する駆動系（図示しない）、および光電変換部１１の出力つまり画像データをアナログデータからディジタルデータに変換するＡ／Ｄ変換部（図示せず）により構成されている。上記第１、第２キャリッジ７、９は、互いにタイミングベルト（図示しない）で結ばれており、第２キャリッジ９は第１キャリッジ７の１／２の速さで同じ方向に移動するようになっている。これにより、レンズ１０までの光路長が一定になるように走査できるようになっている。上記レンズ１０は、焦点距離固定で、変倍時に光軸方向へ移動されるようになっている。上記光電変換部１１は、原稿からの反射光を光電変換するするもので、たとえばＣＣＤ形ラインイメージセンサなどを主体に構成される。この場合、原稿の１画素がＣＣＤセンサの１つの素子に対応している。上記光電変換部１１の出力はＡ／Ｄ変換部へ出力されるようになっている。上記第１、第２キャリッジ７、９、ミラー８ａ、８ｂの移動は、それぞれステッピングモータ（図示しない）により行われるようになっている。上記第１、第２キャリッジ７、９は、上記ステッピングモータの回転軸に連結されたドライブプーリ（図示しない）とアイドルプーリ（図示しない）間に掛渡されたタイミングベルト（図示しない）の動作に応じて移動されるようになっている。上記レンズ１０は、対応するステッピングモータ（図示しない）によりスパイラルシャフト（図示しない）が回転し、このスパイラルの動きによって光軸方向へ移動されるようになっている。
【００１７】
６０は電光変換部（半導体レーザ）で、この電光変換部６０に対応してコリメートレンズ６２、ポリゴンミラー（多面反射鏡）６４、レンズ６６、反射鏡６８，７０、レンズ７２が配置され、露光装置５２からレーザ光を感光体ドラム５０に照射するようになっている。
【００１８】
画像形成部１６０  は、たとえばレーザ光学系と転写紙に画像形成が可能な電子写真方式を組み合せている。すなわち、画像形成部１６０  は、装置内のほぼ中央部に回転自在に軸支された像担持体としての感光体ドラム５０を有し、この感光体ドラム５０の周囲には、露光装置５２、現像装置５４、転写チャージャ５５、剥離チャージャ５６、清掃チャージャ５７、除電チャージャ５８及び帯電チャージャ５９が順に配置されている。感光体ドラム５０は、帯電チャージャ５９によって一様に帯電されるようになっているとともに、スキャナ部１４０  からレーザ光を出力して前記感光体ドラム５０上に原稿の画像を結像し、静電潜像が形成されるようになっている。
【００１９】
そして、前記感光体ドラム５０上に形成された静電潜像は、現像装置５４により現像され、後述する給紙手段としての給紙カセット３０からレジストローラ２０を介して送紙されるコピ−用紙Ｐ上に現像画像を転写チャージャ５５により転写される。この転写チャージャ５５による転写後のコピ−用紙Ｐは、ＡＣコロナ放電による剥離チャージャ５６により剥離されて、搬送ベルトを介して定着器７２に搬送され、この定着器７２によって現像画像が溶融定着されたコピ−用紙Ｐは、排紙ロ−ラ対７３により排紙トレイ７４上に排出される。一方、前記コピ−用紙Ｐへの現像画像の転写・剥離後の感光体ドラム５０上に残留した現像剤は、清掃チャージャ５７により清掃され、除電チャージャ５８により感光体ドラム５０上の電位を一定のレベル以下にして、次のコピ−動作を可能にしている。
【００２０】
また、図中３０は前記装置本体１のフロント側より着脱自在に上下複数段に装着された給紙手段としての給紙カセットである。この給紙カセット３０は、コピー用紙Ｐが収納された筐体であるカセットケース３１からなり、このカセットケース３１の取出し端部は、用紙取出し方向に向け傾斜させてなる構成を有する。そして、前記給紙カセット３０のカセットケース３１内に収納されたコピー用紙Ｐは、ピックアップローラ８１にて最上層からピックアップされて取り出されるようになっている。このピックアップローラ８１にて取り出されて前記カセットケース３１の取出し端部側に送り込まれたコピー用紙Ｐは、前記カセットケース３１の取出し端部の内側上方に設置された給紙ローラ８４と分離ローラ（または分離パッド）８５とからなる用紙分離部にて一枚ずつ分離されて、画像形成部１６０  に向け搬送されるようになっているものである。
【００２１】
自動原稿送り装置２００  は、原稿台２上に設けられ、自動原稿送り装置２００  からこの原稿台２に原稿Ｏが送り込まれるようになっている。
自動原稿送り装置２００  はユニット化され、その筐体としてのカバー本体２１の後端縁部が、装置本体の上面後端縁部に図示しないヒンジ装置を介して開閉自在に取付けられており、必要に応じて自動原稿送り装置２００  全体を回動変位させて原稿台２上を開放し得る構成となっている。
【００２２】
カバー本体２１の上面やや左方向部位には、複数枚の原稿Ｏを一括保持し得る原稿給紙台２２が設けられている。この場合、原稿Ｏは、画像形成面を上にし一枚目を最上面にして順に原稿給紙台２２に載せられる。そして、この原稿給紙台２２により画像形成面を上にした状態で保持された原稿Ｏを順次下面のものから一枚ずつ取出し原稿台２の一端側（図中左端側）に供給する給送手段２３が設けられている。
【００２３】
給送手段２３には、原稿Ｏを取出すためのピックアップローラ２７、原稿Ｏをピックアップローラ２７に押付けるウエイト板２８、原稿給紙台２２への原稿Ｏのセット状態を検知する原稿検知センサ２９等が配設されている。さらに、ピックアップローラ２７の原稿取出し方向には、給紙ローラ３１が配置され、確実に原稿Ｏが一枚ずつ給送されるようになっている。
【００２４】
原稿台２の上面には、これを覆う原稿搬送ベルト３７が張設されている。そして、前記給送手段２３によって給送された原稿Ｏを、原稿台２の一端側（左端側）から他端側（右端側）に搬送する。原稿Ｏについてはカバー本体２１の右側部位に設けられた排紙手段３８により、カバー本体２１の上面に形成された排紙受部３９に排出される。
【００２５】
原稿搬送ベルト３７は、一対のベルトローラ４０、４０に掛渡された外表面が白色の幅広無端ベルトからなり、図示しないベルト駆動機構によって正逆両方向に走行し得る構成となっている。また、原稿搬送ベルト３７の内周部の裏面側には、ベルト面を原稿台２上に押さえ付けるための複数のベルト押えローラ４１，…および自動原稿送り装置２００  の開閉状態を検知するセットスイッチ４２が設けられている。
【００２６】
排紙手段３８は、搬送ローラ４４と、この搬送ローラ４４に原稿Ｏを押付けるピンチローラ４５と、排紙方向に送られる原稿Ｏの後端を検出する原稿検出手段としての排紙センサ４６、排紙ローラ４８等が設けられている。また、原稿を表裏逆にして原稿台２に導くためにゲート８２が設けられ、原稿Ｏの両面コピーの両面転送を可能としている。
【００２７】
図１は、この発明に係る画像形成装置の制御回路を示すものである。すなわち、この制御回路は、画像形成装置全体を制御するＣＰＵ、ＲＯＭ、ＲＡＭ等で構成されるコントローラ１が設けられている。このコントローラ１には、種々の操作を行うコントロールパネル３、ハードディスク等の画像データを蓄積する蓄積装置４、ページ管理テーブル５ａおよび片面原稿か両面原稿かの情報を保存しておくためのメモリ５、及び上述したスキャナ部１４０  、画像形成部１６０  、自動原稿送り装置２００  が接続されている。
【００２８】
図３は、コントロールパネル３の概略構成を示すものである。コントロールパネル３は、部数表示部３ａ、倍率表示部３ｂと倍率設定ボタン３ｃ、濃度表示部３ｄと濃度設定ボタン３ｅ、テンキー３ｆ、クリア／ストップボタン３ｇ、オールクリアボタン３ｈ、コピーボタン３ｉ、ページ表示部３ｊ、試し印刷ボタン９０、入力終了ボタン９１、表／裏ボタン９２、差し替えボタン９３、逆順出力ボタン９４とから構成されている。
【００２９】
本実施例のデジタル複写機においては、電子ソート機能にコントロールパネル３の試し印刷ボタン９０が押下されることにより実行される「試し印刷」機能が設けられている。この試し印刷機能は、先行印刷機能のように複数部のコピーを行う際、原稿をスキャナ部１４０  で１枚読み取る度にその読み取った画像データを蓄積装置４に蓄積すると同時に、画像形成部１６０で印刷も行うことによって１部目のコピーを作成するものである。また、この試し印刷機能は、スキャナ部１４０  での全原稿の読み込みと１部目の印刷が終了した時点で複写処理を一時停止し、ユーザによる操作を受け付ける待機状態となる機能でこの待機中に設定を変更等を行うものである。
【００３０】
複写処理の一時停止中にユーザは以下の操作を行うことができる。
１．印刷の再開
２．逆順出力の指定
３．印刷濃度の変更
４．印刷倍率の変更
５．残り複写部数の変更
６．ページ差し替え
７．印刷の中止
ユーザが印刷再開を指示すれば、デジタル複写機は変更された設定や差し替えられた画像データを用いて２部目以降を印刷する。試し印刷機能によりユーザは複数部のコピーを行う際に、試しとして１部目を印刷することができ、ユーザがその出来具合を確認した後、デジタル複写機の蓄積装置４に蓄積された画像データを用いて画像形成部１６０  において最適な出力形態で印刷されたコピーを２部目以降に得ることができる。
【００３１】
次に、このような構成においてデジタル複写機の試し印刷時の複写処理動作を図４のフローチャートを参照して説明する。
コントローラ１は、ユーザがコントロールパネル３から複写部数などの複写動作の設定を行うと共に試し印刷ボタン９０を押下することにより試し印刷処理を開始する（ＳＴ１）。
【００３２】
コントローラ１は、原稿が用意されてコピーボタン３ｉが押されることにより原稿の入力処理を開始する（ＳＴ２）。
コントローラ１は、原稿１ページを読み込む度に読み取った画像データを蓄積装置４に蓄積する処理を行い、同時に画像形成部１６０  によってそのページの印刷処理を行う。１部目の印刷においてはそのときのフィニッシャ設定を無視して原稿読み込みの度に出力される（ＳＴ３）。
【００３３】
コントローラ１は、最初に読み込ませた原稿ページを１ページとして、原稿を読み込んだ順にページ番号を蓄積された画像データごとに割り当て、メモリ５のページ管理テーブル５ａに保存する（ＳＴ４）。蓄積装置４に蓄積される画像データの形態について詳しくは後述する。
【００３４】
ユーザが原稿台２からの入力で原稿の読み込みを行う場合には、ステップＳＴ２、３、４の操作を繰り返し、原稿１ページ毎にコピーボタン３ｉを押して原稿の読み込みを行う。自動原稿送り装置２００  を用いて原稿の読み込みを行う場合、自動原稿送り装置２００  は、自動原稿送り装置２００  の原稿給紙台２２に原稿がなくなるまで自動的にステップＳＴ３、４の操作を繰り返して全原稿の読み込み処理を行う。入力終了ボタン９１が押されるまでコントローラ１は、コピーボタン３ｉが押されれば原稿の入力処理を行う。
【００３５】
全原稿の読み込みが終了して１部目のコピーの作成が終了した時点（ＳＴ５）でユーザが入力終了ボタン９１を押すことにより、コントローラ１は、原稿の入力処理を終了し、複写処理を一時停止する（ＳＴ６）。このとき、コントロールパネル３の複写部数の部数表示部３ａには、予め設定された複写部数から１を引いた残りの複写部数が表示される。
【００３６】
コントローラ１は、蓄積装置４に蓄積された画像データを保持したまま、ユーザによる操作を受け付けることが可能となる。このときにユーザは、１部目のコピーの出来具合を確認し、必要に応じて以下の操作を行うことができる。
【００３７】
印刷の再開：ユーザが再びコピーボタン３ｉを押すと（ＳＴ７）、コントローラ１は、蓄積装置４に蓄積された画像データを用いて２部目以降の印刷処理を再開する（ＳＴ８）。ユーザがページ差し替えなど他の操作を行った場合、例えばページ差し替えが行われた場合はその画像データを用い、あるいは出力設定が変更された場合にはその設定に従って２部目以降の印刷が行われ、残りの複写部数分のコピーが作成される。２部目以降の印刷では、設定されているフィニッシャ設定に従って出力される。
【００３８】
逆順出力の指定：ユーザが逆順出力ボタン９４を押すと原稿の読み込み順とは逆の順番で印刷を行う設定となり（ＳＴ１１）、コントローラ１は、ページ管理テーブル５ａの後ろから順に、対応する画像データを参照することによって最後に読み込んだ画像データから順に印刷処理を行う。
【００３９】
印刷濃度の変更：ユーザは濃度設定ボタン３ｅを押すことにより２部目以降の印刷濃度の設定を変更することができる（ＳＴ１２）。ユーザが印刷を再開したときには新しく設定された印刷濃度で出力される。
【００４０】
印刷倍率の変更：ユーザは倍率設定ボタン３ｃを押すことにより２部目以降の出力倍率の設定を変更することができる（ＳＴ１３）。ユーザが印刷を再開したときには新しく設定された印刷倍率で出力される。
【００４１】
残り複写部数の変更：ユーザはテンキー３ｆにより、残りの複写部数を変更することができる（ＳＴ１４）。ユーザが印刷を再開したときには新しく設定された複写部数のコピーが出力される。
【００４２】
ページ差し替え：ユーザが差し替えボタン９３を押した場合には、ページ差し替え処理によって蓄積されている画像データをページ単位で新しく読み込む画像データに変更することができる（ＳＴ１５）。この処理について詳しくは後述する。
【００４３】
印刷の中止：ユーザがオールクリアボタン３ｈを押すと（ＳＴ９）、コントローラ１は蓄積装置４に蓄積した画像データを破棄し、印刷処理を中止する（ＳＴ１０）
コントローラ１は、ユーザによって印刷が再開されると印刷処理を再開し、蓄積装置４に蓄積されている画像データを用いて設定されている複写部数分のコピーを作成して複写処理を完了する。また、ユーザが印刷の中止を指示した場合、コントローラ１は蓄積装置４に蓄積されている画像データと複写動作の設定を破棄し、印刷処理を中止する。
【００４４】
次に、試し印刷を行う際のユーザの操作とそれに対する複写機の動作を図５のフローチャートを参照して説明する。
まず、ユーザは、複写部数の指定などの従来のコピーの各種設定を行い（ＳＴ２１）、試し印刷ボタン９０を押して試し印刷機能の使用を指示する（ＳＴ２２）。
【００４５】
自動原稿送り装置２００  を用いない場合、ユーザは、原稿台２の上に１ページ分の原稿を用意し（ＳＴ２３）、コピーボタンを押す（ＳＴ２４）。これによりコントローラ１はスキャナ部１４０  で原稿の読み込みを行い（ＳＴ２５）、読み取った１ページ分の画像データを内部の蓄積装置４に蓄積し、同時にその画像データを画像形成部１６０  で印刷する（ＳＴ２６）。ユーザは、原稿の最終ページになるまで原稿台２に原稿を置きコピーボタン３ｉを押す動作を繰り返す。
【００４６】
自動原稿送り装置２００  を用いる場合、ユーザは、自動原稿送り装置２００  の原稿給紙台２２に原稿を置いてコピーボタン３ｉを押す。コントローラ１は、自動原稿送り装置２００  の原稿給紙台２２に原稿がなくなるまで１ページ毎の原稿を読み込み、画像データを蓄積装置４に蓄積し、画像形成部１６０  でそのページの画像データの印刷を自動的に繰り返す（ＳＴ２５、２６）。
【００４７】
最終ページの読み込みが終了した場合（ＳＴ２７）、ユーザは、入力終了ボタン９１を押して原稿入力の終了を指示する（ＳＴ２８）。
ここで、ユーザは作成された１部目のコピーの出来具合を確認し（ＳＴ２９）、必要に応じて以下の操作を行うことができる（ＳＴ３０）。
【００４８】
１．再びコピーボタン３ｉを押す：２部目以降の印刷が再開される。
２．逆順出力ボタン９４を押す：原稿の読み込み順とは逆の順番で印刷を行う設定となる。
【００４９】
３．濃度設定ボタン３ｅを押す：２部目以降の印刷濃度の設定変更を行える。
４．倍率設定ボタン３ｃを押す：２部目以降の出力倍率の設定の変更を行える。
【００５０】
５．テンキー３ｆを押す：残りの複写部数を変更することができる。
６．差し替えボタン９３を押す：ページ差し替え処理を開始する。
７．オールクリアボタン３ｈを押す：蓄積装置４に蓄積した画像データを破棄し、印刷処理を中止する。
【００５１】
ユーザが複写処理を完了させるためには、コピーボタン３ｉを押して２部目以降の印刷を行わせるか、オールクリアボタン３ｈを押して印刷処理の中止を行わせるかする（ＳＴ３２、３３）。
【００５２】
次に、画像データの蓄積方法について説明する。
蓄積装置４はアドレス値によって蓄積した画像データの存在場所を参照することができ、コントローラ１はメモリ５に原稿の入力処理において画像データのアドレス値と原稿を読み込んだ順番との対応を保持するページ管理テーブル５ａを作成することができる。
【００５３】
また、コントローラ１は、ユーザが指定したページ番号からページに対応するページ管理テーブル５ａ上のテーブル番号を求め、そこに保存されているアドレス値から蓄積装置４内の対応する画像データを参照する機能を持っている。
【００５４】
コントローラ１は、１ページ分の原稿の読み込みが行われると、蓄積装置４にその画像データを蓄積する。このとき、コントローラ１により、画像データが蓄積された場所の蓄積装置４のアドレス値がページ管理テーブル５ａに保存される。ページ管理テーブル５ａには、原稿を読み込んだ順番に読み込んだ画像データの蓄積装置４内のアドレス値が保存されていく。
【００５５】
図６の（ａ），（ｂ）は、全部でＮページの片面原稿を試し印刷機能を用いて原稿の入力処理を行った場合の蓄積装置４内に蓄積される画像データの状態と、ページ管理テーブル５ａの状態を示している。
【００５６】
図６の（ａ）に示す画像データの蓄積方法では、蓄積装置４内のアドレス値Ａ１  で示される場所に１ページ目の画像データが蓄積され、２ページ目の画像データはアドレス値Ａ２  で示される場所に蓄積されるというように画像データの蓄積がなされており、Ｎページ目の画像データはアドレス値Ａｎ  の位置に蓄積されている。そしてコントローラ１によってページ管理テーブル５ａには、原稿が読み込まれた順番にその画像データを蓄積した蓄積装置４のアドレス値が保存される。
【００５７】
図６の（ｂ）で示すページ管理テーブル５ａには、テーブル番号１に対応する値としてアドレス値Ａ１  が保存され、テーブル番号２にはＡ２  が保存されるというようにしてアドレス値が保存され、テーブル番号ｎにはＮページ目の画像データの位置を表すアドレス値Ａｎ  が保存されている。
【００５８】
また、原稿が両面原稿であった場合には、図６の（ｃ）に示すようにアドレス値Ａ１  の位置には１ページ目の表ページの画像データが保存され、アドレス値Ａ２  の位置には１ページ目の裏ページの画像データが保存される。コントローラ１はユーザが指定したページ番号と表裏情報からそのページに対応するページ管理テーブル５ａ上のテーブル番号を求めることができる。例えばユーザが１ページ目裏を指定した場合、コントローラ１はそれが原稿の入力処理時において２番目に読み込まれた画像データであることからデータ番号２のアドレス値を参照する。つまり、Ｘページの表ページのテーブル番号は２Ｘ−１、裏ページのテーブル番号は２Ｘとしてコントローラ１により計算で求めることができる。
【００５９】
なお、原稿が両面原稿であるか、片面原稿であるかはメモリ５上に保持され、コントローラ１はいつでもその情報を参照することができる。
次に、ページ差し替え処理におけるユーザの操作と複写機の動作を図７のフローチャートを参照して説明する。
【００６０】
ページ差し替え処理は、試し印刷機能において１部目の印刷を終了し、一時停止している間にユーザからの指示によって行うことができる。この機能は１部目のコピーにおいて、不具合のあるページがあった場合にそのページのみの再読み込みを行わせ、蓄積装置４に蓄積されている画像データのうち指定したページの画像データと新しく読み込んだ画像データとを蓄積装置４の内部で差し替えを行うものである。
【００６１】
また、デジタル複写機のスキャナ部１４０  に原稿を読み込む際の濃度を調整する機能を持たせることによって、新しく読み込ませるページの読み込み濃度を調整することができる。ユーザは以下の操作によってページ差し替えを行うことができ、画像形成部１６０  で印刷が再開されたときにコントローラ１は、差し替えられた画像データを用いて２部目以降の印刷を行う。
【００６２】
コントローラ１は、試し印刷機能での一時停止状態でユーザからの操作を受け付ける待機状態となっている（ＳＴ４１）。ユーザが差し替えボタンを押す（ＳＴ４２）とコントローラ１は、ページ差し替え処理を開始し（ＳＴ４３）、ユーザに差し替えを行うページ番号を問い合わせる処理を行う（ＳＴ４４）。
【００６３】
ユーザはテンキー３ｆによってそのページ番号を入力し（ＳＴ４５）、原稿が両面原稿であった場合は表／裏ボタン９２により表か裏かを指定し、ユーザの指定がなければコントローラ１は自動的に表ページを設定する。
【００６４】
ユーザは、原稿台２に原稿を用意し、このときに原稿の読み込み濃度の調整を行うことができる。ユーザは、コントロールパネル３の濃度設定ボタン３ｅを用いて原稿読み込みの濃度を調整することができる（ＳＴ４６）。ユーザは、コピーボタン３ｉを押して原稿の読み込みをコントローラ１に指示する（ＳＴ４７）。
【００６５】
コントローラ１は、コントロールパネル３で設定された原稿読み込み濃度で、用意された原稿の１ページ分を読み取る処理を行い（ＳＴ４８）、読み取った画像データを内部の蓄積装置４に追加蓄積を行い、同時にそのページの印刷処理も画像形成部１６０  で行う（ＳＴ４９）。画像データは、蓄積装置４内の予め蓄積されている画像データに追加して蓄積される。
【００６６】
コントローラ１は、ページ管理テーブル５ａを更新し、ページ差し替え処理を行ってページ差し替え処理を終了し（ＳＴ５１）、再び待機状態に戻す（ＳＴ５２）。
【００６７】
コントローラ１は、ユーザからの操作を受け付ける状態となり、ユーザは再び複写処理の一時停止中に行うことのできる操作を行うことができる（ＳＴ５３）。
【００６８】
図８は、蓄積装置４内に追加して蓄積される画像データとページ管理テーブル５ａの更新の状態を示している。図８に示すように、ページ管理テーブル５ａにおいてユーザから指定されたページに対応する蓄積装置４に蓄積された画像データの場所を示すアドレス値を、新しく追加された画像データの場所を表す値に変更することによってページ差し替え処理を行うことができる。
【００６９】
図８の（ａ），（ｂ）は、予め全部でＮページの原稿が保存されており、ユーザが２ページ目の差し替えを指定したときの蓄積装置４内およびページ管理テーブル５ａが更新された状態を示したものである。画像データの場所を示すアドレス値は、１ページ目の画像データに対してアドレス値Ａ１  、２ページ目に対してＡ２  というように与えられており、Ｎページ目にはアドレス値Ａｎ  が与えられている。ここでページ差し替え処理により、２ページ目の差し替えの画像データが新しく追加されるとコントローラ１は、画像データを蓄積装置４内のアドレス値Ａｎ＋１  の位置に新しい画像データを蓄積する。そして、コントローラ１はページ管理テーブル５ａ上の２ページ目に対応するテーブル番号を求め、その位置のアドレス値をＡ２  からＡｎ＋１  に変更する。このようにしてページ管理テーブル５ａは更新され、ページ差し替え処理が行われる。
【００７０】
また、図６の（ｃ）に示すような両面原稿の場合では、２ページ目の表に対してページ差し替えする場合、コントローラ１は，ユーザが指定したページ番号と表裏情報からそのページに対応するテーブル番号が「３」であることを求め、図８の（ｃ）に示すように、ページ管理テーブル５ａのテーブル番号「３」の位置のアドレス値を変更する。
【００７１】
以上説明したように上記実施例によれば、実際に印刷された１部目のコピーの出来具合を確認した後、ユーザが複写機を操作することによって完全なコピーを２部目以降に作成することができ、１部目のコピーに不具合がある場合に２部目以降がその不具合を持ったまま印刷されることを防止できる。
【００７２】
また、ユーザは不具合のあるページは印刷を再開する前に再読み込みを行うことによってページ差し替えを行うことができるほか、印刷時の全体の倍率や濃度を調整することができ、２部目以降は不具合のないコピーを印刷するようにできる。
【００７３】
さらに、２部目以降の出力形態の設定も変更できる。これより、電子ソート機能の特徴を活かしつつ、コピーミスにより生じる紙の無駄を最小限にとどめることや、コピー作成後のページの差し替えや並べ替えといったユーザによる手作業を不要にすることができる。
【００７４】
作成された１部目のコピーのあるページに位置がずれがある、濃度が不適であるといった不具合が生じた場合では、不具合のあるページのみを訂正することができる。不具合のあるページの再読み取りを行わせる際には、読み取りの濃度を変更することができ、新しい画像データの蓄積と同時に印刷も行われるため、不具合が訂正されたことを確認することができる。この機能により、２部目以降の印刷において不具合のあるコピーが生成され、紙が無駄に使われることを防止できるほか、ユーザがコピー作成後に手作業によってページ差し替えの作業を行うことを防止できる。
【００７５】
また、原稿を前ページから順に読み込ませたような場合には、２部目以降は読み込んだ順番とは逆順に印刷させることが可能なため、フェースアップ印刷において最終ページからの印刷ができ、正しい順番でコピーを生成させることができる。さらに、印刷時の全体の濃度や倍率の設定を調整することによって、２部目以降は最適な大きさ、濃度のコピーを得ることができる。
【００７６】
また、１部目の印刷終了後に複写処理の一時停止を行うため、印刷の中止を行うような場合には２部目以降を確実に中止することができ、先行印刷で見られたように中止が指示されるまでの間に２部目以降のコピーが開始され、紙が無駄に消費されることを防止することができる。
【００７７】
【発明の効果】
以上詳述したようにこの発明によれば、多量の紙の無駄を省き、手作業の発生を防止することのできる画像形成装置及び画像形成方法を提供することができる。
【図面の簡単な説明】
【図１】この発明の一実施例に係る画像形成装置における制御回路の概略構成を示すブロック図。
【図２】画像形成装置の全体の構成を示す断面図。
【図３】コントロールパネルの概略構成を示す図。
【図４】デジタル複写機の試し印刷時の複写処理動作を説明するフローチャート。
【図５】試し印刷を行う際のユーザの操作とそれに対する複写機の動作を説明するフローチャート。
【図６】蓄積装置内に蓄積される画像データの状態とページ管理テーブルの状態を示す図。
【図７】ページ差し替え処理におけるユーザの操作と複写機の動作を説明するフローチャート。
【図８】蓄積装置内に追加して蓄積される画像データとページ管理テーブルの更新の状態を示す図。
【符号の説明】
１…コントローラ
２…原稿台
３…コントロールパネル
４…蓄積装置
５…メモリ
９０…試し印刷ボタン
９１…入力終了ボタン
９２…表／裏ボタン
９３…差し替えボタン
９４…逆順出力ボタン
１４０  …スキャナ部
１６０  …画像形成部
２００  …自動原稿送り装置
【図１】
0003628074.tif 000002
【図２】
0003628074.tif 000003
【図３】
0003628074.tif 000004
【図４】
0003628074.tif 000005
【図５】
0003628074.tif 000006
【図６】
0003628074.tif 000007
【図７】
0003628074.tif 000008
【図８】
0003628074.tif 000009